(57)【特許請求の範囲】
【請求項１】
光学的解像限界より小さいトラックピッチを有するスーパーＲＥＮＳ光記憶メディアからデータを読み出すかまたは同メディアにデータを書き込むためにレーザと、検出器ユニットと、対物レンズとを有するピックアップを備える装置において、前記ピックアップは、データの読み出しおよび／または書き込みのための主ビームならびにトラッキングエラー信号を供給するための２つの副ビームを供給し、前記３つのビームは、前記対物レンズにより前記光記憶メディア上に合焦され、前記光記憶メディアからの反射光は前記検出器ユニット上に導かれる装置であって、
前記光記憶メディアの光学的解像限界λ／２＊ＮＡより小さいトラックピッチを有する第２の領域からデータを読み出す場合に、前記２つの副ビームの各光強度を、データを読み出す時に前記光記憶メディア上に供給する前記主ビームの光強度の５０％から１００％として、前記主ビームならびに各副ビームが前記光記憶メディアに対して超解像効果を適用する、前記装置。
【請求項２】
前記２つの副ビームの各光強度は、前記主ビームの、データを読み出すための強度の７０％から１００％であり、前記２つの副ビームの各光強度は、前記主ビームの、データを記録するための強度の５０％未満である、請求項１に記載の装置。
【請求項３】
前記検出器ユニットは、前記主ビームからの反射光を検出するための主検出器および前記光記憶メディアから反射された前記副ビームからの反射光を検出するための２つの副検出器を備え、前記検出器ユニットは、トラッキング調整用の３ビーム式トラッキングエラー信号を供給する、請求項１または２に記載の装置。
【請求項４】
前記２つの副検出器は、２つのセグメントでそれぞれ信号Ｅ１、Ｅ２を検出する第１の副検出器と、２つのセグメントでそれぞれ信号Ｆ１、Ｆ２を検出する第２の副検出器と、を有する、請求項３に記載の装置。
【請求項５】
前記３ビーム式トラッキングエラー信号ＴＥ１は、ＴＥ１＝（Ｅ１＋Ｅ２）−（Ｆ１＋Ｆ２）という関係により計算される、請求項４に記載の装置。
【請求項６】
前記３ビーム式トラッキングエラー信号を用いたトラッキング調整は、前記光記憶メディアの前記第２の領域に対する適用向けに設計され、データを読み出すために前記第２領域に対して超解像効果を適用する必要がある、請求項３乃至５のいずれか１項に記載の装置。
【請求項７】
前記２つの副検出器の各々は、光記憶メディアの、超解像効果を適用する必要がなく、光学的解像限界λ／２＊ＮＡより大きいトラックピッチを有する、第１の領域向けに差動プッシュプル式トラッキングエラー信号を供給するために２分割される、請求項１乃至６のいずれか１項に記載の装置。
【請求項８】
前記検出器ユニットは、２つのセグメントでそれぞれ信号Ｅ１、Ｅ２を検出する第１の副検出器と、２つのセグメントでそれぞれ信号Ｆ１、Ｆ２を検出する第２の副検出器と、を有する２つの副検出器と、前記主ビームからの反射光を検出するための主検出器であって、４つのセグメントでそれぞれ信号Ａ、Ｂ、Ｃ、Ｄを検出する主検出器と、を有し、
前記３ビーム式トラッキングエラー信号ＴＥ２は、ＴＥ２＝（（Ａ＋Ｂ）−（Ｃ＋Ｄ））−β＊（（Ｅ２−Ｅ１）＋（Ｆ２−Ｆ１））という関係により計算される、請求項７に記載の装置。
【請求項９】
前記検出器ユニットは、前記２つの副ビームが、前記第１の領域内の差動プッシュプル式トラッキング調整での使用向けに前記主ビームに対してトラックピッチの１／２のトラックオフセットを有し、かつ前記第２の領域内の３ビーム式トラッキングエラー信号を用いたトラッキング調整での使用向けに前記第２の領域のトラックピッチの３／４のトラックオフセットを有するように設計される、請求項７または８に記載の装置。
【発明の詳細な説明】
【技術分野】
【０００１】
本発明は、レーザと、光記憶メディア上、特に光ディスク上に、主ビームと２つの副ビームとを合焦するための対物レンズとを有するピックアップを備える装置に関し、および同装置と共に動作するための光記憶メディアに関する。
【背景技術】
【０００２】
光学式記憶メディアは、例えば光記憶メディアを照射するためのレーザおよびデータを読み取るときにレーザビームの反射光を検出するための光検出器を備えるピックアップにより、光学的に読み出し可能な方式でデータが格納されるメディアである。一方では、様々なレーザ波長で動作するものや１ギガバイト（ＧＢ）未満から５０ギガバイトまでの記憶容量を与えるための様々なサイズを有するものなど、多種多様な光学式記憶メディアが利用可能である。フォーマットには、音楽ＣＤおよびビデオＤＶＤなど読み出し専用のフォーマット、１回書き込み型光学的メディア、ならびに例えばＣＤ−ＲＷ、ＤＶＤ−ＲＷ、ＤＶＤ＋ＲＷおよびＤＶＤ−ＲＡＭのように書き換え可能なフォーマットが含まれる。デジタルデータは、これらのメディアの１つまたは複数の層のトラックに沿ってメディアに格納される。
【０００３】
現在、データ容量が最大の記憶メディアはブルーレイディスク（ＢＤ）であり、２重層のディスク上に５０ＧＢを格納することが可能である。現在利用可能なフォーマットは、例えば読み出し専用のＢＤ−ＲＯＭ、再書き込み可能なＢＤ−ＲＥ、および１回書き込み型のＢＤ−Ｒディスクがある。ブルーレイディスクの読み出しおよび書き込みのために、４０５ｎｍのレーザ波長を有する光ピックアップが使用される。ブルーレイディスク上で、３２０ｎｍのトラックピッチ、および２Ｔから８Ｔまでで最大９Ｔのマーク長が使用されるが、Ｔはチャネルのビット長であり、最小のマーク長１３８〜１６０ｎｍに対応する。ブルーレイディスクシステムについてのさらなる情報は、例えばインターネットを介してブルーレイグループ（www.blu-raydisc.com）から入手可能である。
【０００４】
超解像近接場構造（ｓｕｐｅｒ−ｒｅｓｏｌｕｔｉｏｎ  ｎｅａｒ−ｆｉｅｌｄ  ｓｔｒｕｃｔｕｒｅ）（スーパーＲＥＮＳ）を有する新規の光学式記憶メディアは、ブルーレイディスクと比較して、光記憶メディアのデータ密度が１ディメンションで２倍から４倍に増加する可能性がある。これは、光記憶メディアのデータ層上に配置されるいわゆるスーパーＲＥＮＳの構造または層を使用することにより可能であり、光記憶メディアから読み出すかまたは同メディアに書き込むために使用される光スポットの有効サイズをかなり縮小する。超解像層は、マスク層とも呼ばれる。というのは、このマスク層がデータ層の上に配置され、特定の物質を使用することによってレーザビームの高強度の中心部品だけがこのマスク層を貫通することができるためである。
【０００５】
スーパーＲＥＮＳ効果により、ディスク上のデータを読み出すかまたは書き込むために使用されるレーザビームの解像限界を下回るサイズを有する、光ディスクのマークに格納されたデータを、記録しかつ読み出すことができる。知られているように、アッベ（Abbe）によれば、レーザビームの分解能の回折限界はおよそλ／（２＊ＮＡ）である。この式で、λは波長であり、ＮＡは光ピックアップの対物レンズの開口数である。
【０００６】
金属酸化物または高分子化合物で形成された超解像近接場構造ならびにＧｅＳｂＴｅベースまたはＡｇＩｎＳｂＴｅベースの構造から形成された相変化層を備える、データの記録およびデータの再生のためのスーパーＲＥＮＳ光ディスクは、特許文献１および特許文献２から既知である。超解像光メディアのさらなる例は、特許文献３および非特許文献１に記載されている。
【０００７】
【特許文献１】国際公開第２００５／０８１２４２号パンフレット
【特許文献２】米国特許出願公開第２００４／０２５７９６８号明細書
【特許文献３】国際公開第２００４／０３２１２３号パンフレット
【特許文献４】米国特許第６１３７７５８号明細書
【特許文献５】米国特許第６５１０１１２Ｂ１号明細書
【非特許文献１】Tominaga et al., Appl. Phys. Lett. Vol. 73, No. 15, 12 October 1998
【発明の開示】
【発明が解決しようとする課題】
【０００８】
スーパーＲＥＮＳ効果により、光ディスク上のマークを読み出すための光ピックアップの分解能を向上させることが可能であるが、トラックピッチを縮小することはできない。
【０００９】
ＣＤの導入以来、光記憶メディアからデータを読み出すためのトラッキング信号を供給するために、主ビームおよび２つの副ビームを有する３つの光ビームを供給するピックアップが既知である。これらの配置では、副ビームの光強度は、主ビームの強度よりはるかに小さい。この種の装置は、例えば特許文献４に記載されており、これは、データ信号を供給するための主検出器およびトラッキングエラー信号を供給するために光記憶メディアから反射された副ビームを検出するための一対の副検出器を有する検出器ユニットを使用する。２つの副ビーム検出器により、トラッキング信号の発生に加えてＣＤとＤＶＤの識別が可能になる。
【００１０】
主ビームおよび２つの副ビームを供給するピックアップを備え、かつ主検出器および一対の副ビーム検出器を備えたそれぞれの検出器ユニットを有する別の装置は、特許文献５に記載されている。記憶メディア上の損傷部分を検出するために、また補償信号を供給するために、２つの副ビーム検出器からの信号が利用される。
【課題を解決するための手段】
【００１１】
スーパーＲＥＮＳ光記憶メディアからデータを読み出し、かつ／または同メディアにデータを書き込むための装置は、レーザと、検出器ユニットと、対物レンズとを有するピックアップを備え、このピックアップは、データの読み出しおよび／または書き込みのための主ビームを生成し、かつトラッキングエラー信号を供給するための２つの副ビームを生成する。３つのビームは対物レンズにより光記憶メディア上に合焦され、光記憶メディアからの反射光はピックアップ内の検出器ユニット上に導かれる。光記憶メディア上に到着する主ビームおよび２つの副ビームは、主ビームならびに各副ビームについて超解像効果が起こるような光強度である。２つの副ビームの光強度は、各々が主ビームまたはデータ読み出しの強度の約５０％から１００％、具体的には主ビームの強度の７０％から１００％の範囲である。
【００１２】
装置が、スーパーＲＥＮＳ層構造およびデータを記録するための回折限界を下回るトラックピッチを有する、記録可能ディスクまたは書き換え可能ディスク上でトラッキングするために使用されるときは、近隣のトラックに記録するのを防止するために、例えば切り換え可能なデバイス（例えば液晶要素）により、副ビームの強度を５０％未満に低下させる必要がある。しかし、超解像効果を有効にするために、副ビームの強度は十分高くなければならない。
【００１３】
ピックアップの検出器ユニットは、具体的には、主ビームと関係する光記憶メディアからの反射光を検出するための主検出器および光記憶メディアから反射された２つの副ビームからの反射光を検出するための一対の副検出器を備え、各副検出器は、差動プッシュプル式トラッキングエラー信号を供給するために２分割されている。
【００１４】
本発明の別の態様において、この装置は、差動プッシュプル式トラッキングエラー信号が光学的解像限界より大きなトラックピッチを有するトラックを第１の領域に備える光記憶メディア向けに使用され、また、３ビーム式トラッキングエラー信号が光学的解像限界より小さなトラックピッチを有するトラックを備える光記憶メディアの第２の領域向けに使用されるように配置される。
【００１５】
領域１のトラックピッチと領域２のトラックピッチの比は、有利には約１．４から１．６の範囲であり、トラックピッチは、例えば領域１については３００〜３３０ｎｍであり、領域２については１５０〜２４０ｎｍの範囲である。両領域は、具体的には、ブルーレーザダイオードを有するピックアップが、データ読み出しのために、領域１に対しては低いビーム強度を使用して超解像効果を与えずに、領域２に対しては光記憶メディア上に超解像効果を与えるように主ビームおよび２つの各副ビームを使用して比較的高いビーム強度を使用するために、利用することができるように配置される。領域１のトラックピッチは、具体的には、２つの副ビームが、領域１における差動プッシュプル式トラッキング法の最適使用をもたらすために、主ビームに対してトラックピッチの約１／２のトラックオフセットを有し、３ビーム式トラッキング法の最適使用をもたらすために、領域２のトラックピッチの約３／４のトラックオフセットを有する。
【発明の効果】
【００１６】
したがって、この装置および光記憶メディアは、ブルーレーザダイオードを有するピックアップを使用するとき、具体的には高度なデータ記憶用途のためのシステムを確立する。
【発明を実施するための最良の形態】
【００１７】
本発明の好ましい実施形態を、概略図を参照しながら、例として、以下でより詳細に説明する。
【００１８】
図１に関して、３ビーム式トラッキング法の原理が、レーザ、対物レンズおよび検出器ユニットを有するピックアップを備える装置について説明されており、従来技術から既知のものである。このピックアップは、光ディスクのトラックＴ２からのデータ信号を読み出すための主ビーム１ならびにピックアップのトラッキング制御用のトラッキングエラー信号を供給するための２つの副ビーム２および３を供給する。
【００１９】
図１に簡単に示されるように、光ディスクは、ピットＰを有する３つの基本的に平行なトラックＴ１、Ｔ２、Ｔ３を備え、これらはピックアップにより読み取られたとき高周波のデジタルデータ信号を供給する。トラックＴ１〜Ｔ３は、トラックピッチＴＰにより互いから分離される。ビーム１、２、３は、それぞれのトラック（ここではトラックＴ２）のデータ信号を読み出すために、光ディスクの回転速度に応じて接線方向に移動する。主ビーム１をトラックＴ２のそれぞれのピットの中心に保つために、半径方向にトラッキング制御が実行される。
【００２０】
当業者に周知のように、例えば回折格子または格子レンズにより、ピックアップ内に３つのビーム１〜３を生成することができる。格子手段は、ピックアップ内のレーザから発せられた光ビームを、３つのそれぞれのビーム（主ビーム１ならびに２つの副ビーム２および３）へ分割する。副ビーム２、３は、主ビームから接線方向にわずかに分離され、主ビーム１の位置に対して、副ビーム２が前方にあり、副ビーム３が後方にある。
【００２１】
さらに、主ビーム１がそれぞれのトラック上に正確に位置決めされるとき、副ビーム２、３は、主ビーム１に対して、例えばトラックピッチＴＰの１／４だけ半径方向に移動される。主ビーム１に対して、主ビーム１の前方の副ビーム２は光ディスクの内側へ例えばトラックピッチの１／４だけ移動され、副ビーム３は光ディスクの外側へトラックピッチの１／４だけ移動される。
【００２２】
光ディスクからの３つのビーム１〜３の反射光を検出するために、ピックアップは、主ビーム１から反射された光の検出用に検出器ユニット内に光検出器１０を備え、副ビーム２および３の反射光の検出用に２つの光検出器１１、１２を備える。ピックアップに含まれる光学エレメントが副ビーム２および３からの反射光を光検出器１１および１２上に集中させるように、検出器１１、１２は副ビーム２、３に対応して移動され、それぞれ検出器１０から遠ざけて位置決めされる。
【００２３】
光検出器１０は、４つのセグメントＡ〜Ｄに分割され、それらの出力信号は、電気的出力信号を供給するために加算回路１５で結合される。加算回路１５の和信号は、無線周波数またはＲＦ信号とも呼ばれる変調された高周波データ信号ＲＦを供給するために、前置増幅器４の増幅器１３により増幅される。
【００２４】
光検出器１１、１２からの信号は、トラッキングエラー信号ＴＥを供給するために、前置増幅器４の減算回路１４により差をとられて、これも増幅される。トラッキングエラー信号ＴＥは、主ビーム１がそれぞれのトラックのトラック上にあるときゼロであり、データが読み出されるそれぞれのトラックに対するピックアップの半径方向の移動次第でプラスまたはマイナスになる。この種のピックアップは、例えば特許文献５に記載されている。
【００２５】
図２ａ、図２ｂにおいて、超解像近接場効果（スーパーＲＥＮＳ）をもたらすためのマスク層を備える光記憶メディアの小さな部分が簡単に示され、記憶メディアはピットＰを備えたトラックを有し、スーパーＲＥＮＳ記憶メディアからデータを読み出すかまたは同メディアにデータを書き込むためのそれぞれの装置に含まれる光ピックアップの解像限界より小さいトラックピッチＴＰを有するトラックＴ１〜Ｔ３が示されている。トラックピッチＴＰは、具体的にはブルーレーザダイオードを備えるブルーレイのピックアップの解像限界より小さい。
【００２６】
本発明による、データを読み出しかつ／または書き込むためのピックアップは、主ビームＭおよび２つの副ビームＳ１、Ｓ２を使用する３ビーム法を使用することにより動作するものであり、１つの副ビーム（例えば副ビームＳ１）は主ビームＭの前方にあり、第２の副ビーム（例えば副ビームＳ２）は主ビームＭの後方にある。図２ａ、図２ｂに示されるように、副ビームＳ１、Ｓ２のトラックオフセットは、例えばトラックピッチＴＰの１／４である。従って、副ビームＳ１、Ｓ２は、部分的に、主ビームＭが合焦される中央のトラックＴ２のピットＰとオーバーラップする。
【００２７】
図２ａ、図２ｂにおいて、スーパーＲＥＮＳ記憶メディアからのデータ信号の読み出しに関して本発明が説明される。ピックアップが、図２ｂに示されるように、主ビームＭおよび２つの副ビームＳ１、Ｓ２向けにも、３つのビームＭ、Ｓ１、Ｓ２の全てに超解像効果をもたらすのに十分に大きな読み取りパワーを供給するとき、トラッキング調整用の感度は図２ａと比較してかなり改善される。図２ｂに示されるように、超解像効果が起こる有効な内側領域２０は、副ビームＳ１、Ｓ２の合計面積２１よりはるかに小さい。主ビームＭに対する副ビームＳ１、Ｓ２のトラックオフセットがトラックピッチの１／４であるとき、有効なスポットサイズ２０の基本部分は、トラックＴ２のピットＰとオーバーラップし、また、有効なスポットサイズ２０の基本部分は、トラックＴ１、Ｔ２またはＴ２、Ｔ３のピットＰ間の領域に感応し、従って、そのような種類のスーパーＲＥＮＳ記憶メディア向けの３ビーム法を使用して非常に高感度のトラッキング信号を得ることができる。
【００２８】
読み取りパワーが、それぞれのスーパーＲＥＮＳ記憶メディアの超解像効果を与えるための閾値パワー未満と小さいとき、図２ａに示されるように、主ビームＭおよび副ビームＳ１、Ｓ２のスポットサイズは非常に大きい。この場合、トラッキング調整は、図２ｂによる大パワーを使用した副ビームＳ１、Ｓ２と比較してそれほど高感度ではない。
【００２９】
図３ａ〜図３ｃに示されるように、図２ａ、図２ｂに関して記載されたピックアップの応用が、光学的解像限界より大きいトラックピッチを有するトラックを備えた第１の領域および光学的解像限界より小さいトラックピッチを有するトラックを備えた第２の領域を有する光記憶メディアに適用される。記憶メディアは、具体的には光ディスクである。図３ａは、トラックピッチが光学的解像限界（例えば３１５ｎｍ）より大きい光記憶メディアの第１の領域に関するものである。図３ｂ、図３ｃは、光記憶メディアの第２の領域に関するものであり、トラックは、ピックアップの光学的解像限界λ／２＊ＮＡより小さいトラックピッチ（例えば２１０ｎｍ）を有する。
【００３０】
図３ａの領域１では、ピックアップは、データを読み取るのに超解像効果を利用せず小さな読み取りパワーで動作することができる。３１５ｎｍのトラックピッチを有するトラックのデータを読み出すために、例えばブルーレイおよびＨＤ−ＤＶＤの光ディスクを読み取るための機器から知られているように、具体的には例えば４０５ｎｍの波長を有するブルーレーザダイオードを有するピックアップを使用することができる。副ビームＳ１、Ｓ２のトラックオフセットは、主ビームＭに対して、副ビームＳ２、Ｓ１のビームスポットが、例えば０．５のトラックオフセットに対応してトラックの間に来るように調整される。次いで、トラックのデータを読み出しながらトラッキングするために、差動プッシュプル式トラッキング法（ＤＰＰ）が有利に使用され、これにより、例えば図３ａに示されるような３１５ｎｍの光学的解像限界より大きなトラックピッチを有するトラック向けの広い調整範囲が可能になる。実際のディスク次第で、記載されたピックアップは、４つの検出器セグメントＡ〜Ｄを使用することによりトラッキングする位相差検出（ｄｉｆｆｅｒｅｎｔｉａｌ  ｐｈａｓｅ  ｄｅｔｅｃｔｉｏｎ）法（ＤＰＤ法）を代りに使用してもよい。これは、具体的には、実際のディスクが十分なプッシュプル信号を示さないとき必要とされる。
【００３１】
領域１および領域２向けのトラックピッチは、それらの比が１．４から１．６の範囲内であるように、例えば、領域１向けには３１５ｎｍ、領域２向けには２１０ｎｍに選択される。次いで、図２ａ、２ｂに関して以前に説明したように、３ビーム法を利用するピックアップを有する装置により領域１、２を読み取ることができる。このピックアップは、具体的には、光ディスクからのデータを読み出すためにブルーレーザダイオードおよびそれぞれの光学部品を備える。主ビームＭおよび２つの副ビームＳ１、Ｓ２は、格子を使用することにより、例えばピックアップの内部で生成することができる。
【００３２】
領域１のデータを読み出すために、３つのビームを使用する差動プッシュプル法が使用され、領域２のデータを読み出すために、３ビーム式トラッキング法が利用される。従って、副ビームＳ１、Ｓ２は、領域１と領域２に対して異なるやり方で使用される。領域１と領域２のトラックピッチの比が約１．５であるとき、これら２つのトラッキング法を使用することにより、具体的には領域１および領域２の両方に対して最適の結果をもたらす。これは、領域２を領域１と比較したときの半径方向のデータ密度増加１．５に一致する。知られているように、ブルーレイディスクに関して、既にスーパーＲＥＮＳ効果によりトラック方向にデータ密度を約２倍から４倍増加させることができる。従って、スーパーＲＥＮＳ効果が使用されていない領域１に対して、領域２についてはデータ密度の増加は３倍から６倍に達することができる。
【００３３】
２１０ｎｍより小さなトラックピッチが使用されている図３ｂ、図３ｃの領域２では、主ビームＭがトラックＴ２上に合焦されるとき、副ビームＳ１およびＳ２は、それぞれ近隣のトラックＴ１およびＴ３と部分的にオーバーラップする。領域１と領域２の間のトラックピッチの比が約１．５であるとき、これはトラックの３／４のトラックオフセットに一致する。次いで、超解像効果が適用される領域２については、図３ｃに示されるように、主ビームＭおよび副ビームＳ１、Ｓ２の両方に対して３ビーム式トラッキング法が有利に使用される。従って、ピックアップのトラッキング調整用のサーボ系は、光ディスクの領域１からのデータ読み出し用と領域２からのデータ読み出し用の２つのトラッキング法の間を切り換える必要がある。
【００３４】
次に、３ビーム式トラッキング法ならびに差動プッシュプル式トラッキング法向けに有利に使用されることができる検出器ユニットを、図４に関してここで記載する。検出器ユニットは、光記憶メディアから反射された主ビームＭからの光を検出するために、４つのセグメントＡ、Ｂ、Ｃ、Ｄを有する主検出器４０を備える。副ビームＳ１に対して第２の検出器４１が使用され、副ビームＳ２に対して第３の検出器４２が使用されるが、それらは各々が光記憶メディアの半径方向に関して２等分される。すなわち、検出器４１は、２つのセグメントＥ１、Ｅ２へ、検出器４２は２つのセグメントＦ１、Ｆ２へ分割される。ピックアップの内部の検出器４０〜４２は、具体的には、主ビームＭが検出器４０の中央に置かれ、副ビームＳ１が検出器４１の中央に置かれ、副ビームＳ２が検出器４２の中央に置かれるように幾何学的に配置される。セグメントＡ〜Ｆ２は、当業者には既知の感光性エレメントである。
【００３５】
図３ｃの領域２に適用される３ビーム式トラッキング法用のトラッキングエラー信号ＴＥ１を計算するために、次式が使用される。
ＴＥ１＝（Ｅ１＋Ｅ２）−（Ｆ１＋Ｆ２）
【００３６】
副ビームＳ１およびＳ２だけがトラッキングエラー信号ＴＥ１に寄与する。検出器４１のセグメントＥ１、Ｅ２からの信号および検出器４２のセグメントＦ１、Ｆ２から信号が、それぞれ加えられる。検知器信号４１と４２の間の差が計算されるので、主ビームＭが正確にトラック上にあるとき、トラッキングエラー信号ＴＥ１はゼロである。主ビームＭが、トラックからある方向に外れるとき、検出器４１、４２の第１の信号は増加し、検出器４１、４２の第２の信号は付随して減少する。また、主ビームがトラックから反対方向に外れるとき、２つの検出器４１、４２の第２の信号は増加し、検出器４１、４２の第１の信号は減少する。従って、主ビームＭがトラック上にあるとき、３ビーム式トラッキング法は、トラッキングエラー信号ＴＥ１＝ゼロを基準として、光ディスクの領域２のための安定したトラッキング調整をもたらす。
【００３７】
図３ａの領域１に適用される差動プッシュプル式トラッキング法に関して、トラッキングエラー信号ＴＥ２を供給するために次式が使用される。
ＴＥ２＝ＣＰＰ−β＊ＯＰＰ
＝（（Ａ＋Ｂ）−（Ｃ＋Ｄ））−β＊（（Ｅ２−Ｅ１）＋（Ｆ２−Ｆ１））
【００３８】
検出器４０〜４２の各々に関して、各検出器のセグメントから差信号が計算され、その結果、検出器４０〜４２の各々は、ピックアップの半径方向の運動に対して非常に高感度である。主ビームＭがそれぞれのトラック上の中央に置かれるとき、検出器４０、４１、４２の信号は具体的にはゼロである。従って、主ビームＭがトラック上にあるとき、トラッキングエラー信号ＴＥ２もゼロである。ピックアップがある方向に動くとき、主検出器４０の信号ＣＰＰは、ゼロより大きくなるかまたは小さくなり、副検出器４１、４２の信号ＯＰＰは、それに対応してゼロより大きくなるかまたは小さくなる。しかし、主検出器４０と副検出器４１、４２の信号の極性および振幅は異なる。
【００３９】
信号ＣＰＰとＯＰＰの間のバランスを改善するために、ＣＰＰとＯＰＰの値がほぼ同じ桁を有するように有利に選択された係数βが式に含まれており、その結果、主検出器４０および副検出器４１、４２は、どちらもトラッキングエラー信号ＴＥ２に対して本質的に寄与し、位置合わせ不良（例えばアクチュエータの移動）による邪魔なオフセットを打ち消す。具体的には、係数βにおいて、検出器４０上で受けられた主ビームＭと、副検出器４１、４２上に反射されたビームの間の強度分布が考慮に入れられる。従って、ある１方向にピックアップがトラックから外れるとき、トラッキングエラー信号ＴＥ２はマイナス方向に動き、もう一方の方向にピックアップが外れるときプラス方向に動く。
【００４０】
従って、図３に関して記載された検出器ユニットを有するピックアップは、異なるトラックピッチを有する２つの領域を備える光記憶メディアからのデータを読み出すとき、トラッキングサーボシステム向けに安定したトラッキングエラー信号を供給する。３ビーム式トラッキング法を使用することにより、具体的には、約１．５の係数でブルーレイディスクのトラックピッチより小さいトラックピッチを有する（従ってブルーレーザダイオードを有するピックアップの回折限界未満にある）スーパーＲＥＮＳ領域からのデータを読み出すことができる。
【００４１】
光記憶メディアの領域１は、領域１および領域２に格納されたデータについていくつかの基本的なディスク情報を与えるために使用されてよい。具体的には、領域２のサイズについて、例えば、データを読み出すためには、どのトラックに超解像効果を適用しなげればならないかについて、情報を含んでよい。
【００４２】
また、当業者なら、本発明の趣旨および範囲から逸脱することなく本発明の他の実施形態を作製することができる。具体的には、本発明は、ブルーレイディスクタイプのピックアップを備えるピックアップには限定されない。従って、本発明は、以下に添付の特許請求の範囲に帰する。
【図面の簡単な説明】
【００４３】
【図１】ＲＦデータ信号およびトラッキングエラー信号を供給するための、主検出器および２つの副検出器のピックアップを有する従来技術の検出器ユニットを示す図である。
【図２】光記憶メディア上に低ビーム強度および超解像効果をもたらす高ビーム強度を与える本発明によるピックアップの適用を示す図である。
【図３】光学的解像限界より大きなトラックピッチを有する第１の領域および光学的解像限界より小さなトラックピッチを有する第２の領域を有する光記憶メディア上への図２のピックアップの適用を示す図である。
【図４】図２、図３によるピックアップに含まれる検出ユニットの主検出器および２つの副検出器を示す図である。
【図１】
0005442964.tif 000002
【図２】
0005442964.tif 000003
【図３】
0005442964.tif 000004
【図４】
0005442964.tif 000005